(57)【要約】【課題】  無線カードを通じたファイルの取扱いを実現し、さらにそれら無線カードを複数枚利用してユーザの直感に沿ったファイル操作を実現する。【解決手段】  カードアクセス装置２４０は無線カードを受けるカード受け部２４１および２４２を備える。カード受け部２４１には無線カード４１が、カード受け部２４２には無線カード４２が、それぞれ載置される。無線カード４１および４２は、ファイルシステム上の所定のファイルと関連付けられており、そのファイルの格納場所をＵＲＬ等の形式で保持している。カード受け部２４１および２４２に載置された位置関係に応じて、無線カード４１および４２と関連付けられたファイルの操作が行われる。【選択図】      図２
2006285368.tif 000002
【特許請求の範囲】
【請求項１】
所定のファイルのファイルシステム上の格納場所を保持する格納場所保持手段と、
外部からの要求に応じて前記格納場所を送信する通信手段と
を具備することを特徴とする無線カード。
【請求項２】
前記ファイルを認証するための認証情報を保持する認証情報保持手段をさらに具備し、
前記通信手段はさらに前記要求に応じて前記認証情報を送信することを特徴とする請求項１記載の無線カード。
【請求項３】
前記ファイルの複製に関する付加情報を保持する付加情報保持手段をさらに具備し、
前記通信手段はさらに前記要求に応じて前記付加情報を送信することを特徴とする請求項１記載の無線カード。
【請求項４】
ファイルシステム上の所定のファイルに関連付けられた複数の無線カードとの間で通信を行う通信手段と、
前記通信が行われた前記複数の無線カード同士の順位を決定する順位決定手段と、
前記順位に応じて前記複数の無線カードに関連付けられたファイル間の操作を制御するファイル操作制御手段と
を具備することを特徴とするカードアクセス装置。
【請求項５】
前記順位決定手段は、前記複数の無線カードの配置された位置に基づいて前記順位を決定することを特徴とする請求項４記載のカードアクセス装置。
【請求項６】
前記位置の優先順位を指定する優先順位指定手段をさらに具備することを特徴とする請求項５記載のカードアクセス装置。
【請求項７】
前記順位決定手段は、前記複数の無線カード同士の相対的な位置に基づいて前記順位を決定することを特徴とする請求項４記載のカードアクセス装置。
【請求項８】
前記複数の無線カードから受信した電波の強度を測定する電波強度測定手段をさらに具備し、
前記順位決定手段は、前記電波強度に基づいて前記順位を決定することを特徴とする請求項４記載のカードアクセス装置。
【発明の詳細な説明】
【技術分野】
【０００１】
本発明は、無線カードおよびカードアクセス装置に関し、特にＩＣカードなどの無線による非接触型カードおよびそのようなカードにアクセスするための装置ならびにそれらを用いた応用システムに関する。
【背景技術】
【０００２】
無線カードは、無線を用いた非接触型カードであり、ＩＣカードやＲＦＩＤ（Radio Frequency Identification）カードなどと呼ばれている。この無線カードは、メモリおよび通信回路を含むＩＣチップとアンテナとにより構成され、外部からの誘電によって通信を行う。
【０００３】
このように無線カードでは無線を用いて非接触に情報を交換できることから、近年では複数枚の無線カードを同時に読み取る技術が開発されている。例えば、複数枚のＩＣカードの各々に乱数発生部を設け、発生された乱数に対応するタイムスロットを割り当てて、その割り当てられたタイムスロットのタイミングで通信を行うＩＣカードが提案されている（例えば、特許文献１参照。）。
【特許文献１】特開平１０−３２７１４２号公報（図１７）
【発明の開示】
【発明が解決しようとする課題】
【０００４】
上述の従来技術によれば、乱数に基づくタイミングで無線カードが通信を行うため、複数枚の無線カードを同時に用いた場合の無線カードからの通信の衝突を回避することができる。
【０００５】
しかしながら、そのような従来技術では、複数枚の無線カードによる通信の衝突を回避することはできても、複数枚の無線カードのそれぞれを区別し、順位付けすることは困難である。今後、無線カードが普及し、複数枚の無線カードに順位付けがされて組み合わせて利用されることを想定した場合、無線カードの順位付けを行うことは必須の技術となると考えられる。
【０００６】
また、無線カードは、人間にとって片手で扱うことができる重量およびサイズを有しており、取り扱いが容易である。これに対し、ファイルシステム上の各ファイルは直接触ることができるものではなく、コンピュータを通じたそれらファイルの取扱いは人間に煩雑な思いを抱かせる場合がある。
【０００７】
そこで、本発明は、無線カードを通じたファイルの取扱いを実現し、さらにそれら無線カードを複数枚利用してユーザの直感に沿ったファイル操作を実現することを目的とする。
【課題を解決するための手段】
【０００８】
本発明は、上記課題を解決するためになされたものであり、その第１の側面は、所定のファイルのファイルシステム上の格納場所を保持する格納場所保持手段と、外部からの要求に応じて上記格納場所を送信する通信手段とを具備することを特徴とする無線カードである。これにより、無線によりファイルの格納場所を送信して、無線カードによるファイル操作を実行させるという作用をもたらす。
【０００９】
また、この第１の側面において、上記ファイルを認証するための認証情報を保持する認証情報保持手段をさらに具備し、上記通信手段がさらに上記要求に応じて上記認証情報を送信するようにしてもよい。これにより、認証を前提とした安全性の高いファイル操作を実行させるという作用をもたらす。
【００１０】
また、この第１の側面において、上記ファイルの複製に関する付加情報を保持する付加情報保持手段をさらに具備し、上記通信手段がさらに上記要求に応じて上記付加情報を送信するようにしてもよい。これにより、付加情報に定義された条件下でファイル操作を実行させるという作用をもたらす。
【００１１】
また、本発明の第２の側面は、ファイルシステム上の所定のファイルに関連付けられた複数の無線カードとの間で通信を行う通信手段と、上記通信が行われた上記複数の無線カード同士の順位を決定する順位決定手段と、上記順位に応じて上記複数の無線カードに関連付けられたファイル間の操作を制御するファイル操作制御手段とを具備することを特徴とするカードアクセス装置である。これにより、所定のファイルに関連付けられた複数の無線カードとの間の通信を通じてそれらの順位を決定し、その順位に応じたファイル操作を実行させるという作用をもたらす。
【００１２】
また、この第２の側面において、上記順位決定手段が上記複数の無線カードの配置された位置に基づいて上記順位を決定するようにしてもよい。ここで、位置とは、カードアクセス装置において無線カードの配置されるべき位置であり、それらの位置に対して予め順位を定めておくことにより、無線カードが配置された際にそれらの順位を決定することができる。また、この第２の側面において、上記位置の優先順位を指定する優先順位指定手段をさらに具備するようにしてもよい。また、この第２の側面において、上記順位決定手段が上記複数の無線カード同士の相対的な位置に基づいて上記順位を決定するようにしてもよい。ここで、相対的な位置としては、例えば無線カードが重ねて配置された場合の重ねられた順序を利用することができる。さらに、この第２の側面において、上記複数の無線カードから受信した電波の強度を測定する電波強度測定手段をさらに具備し、上記順位決定手段が上記電波強度に基づいて上記順位を決定するようにしてもよい。
【発明の効果】
【００１３】
本発明によれば、無線カードを通じたファイルの取扱いを実現し、さらにそれら無線カードを複数枚利用してユーザの直感に沿ったファイル操作を実現するという優れた効果を奏し得る。
【発明を実施するための最良の形態】
【００１４】
次に本発明の実施の形態について図面を参照して詳細に説明する。
【００１５】
図１は、本発明の実施の形態における無線カード４０の一構成例を示す図である。図１（ａ）を参照すると、この無線カード４０は、制御部４１０と、メモリ４２０と、通信部４３０と、乱数発生部４４０とを備えている。
【００１６】
制御部４１０は、無線カード４０全体の動作を制御するものである。メモリ４２０は、無線カード４０として必要なデータを保持するものである。通信部４３０は、外部からの誘電によって通信を行うものであり、ここでは無線カード４０に埋め込まれたアンテナを含むことを想定している。乱数発生部４４０は、所定の乱数を発生するものである。
【００１７】
カードリーダもしくはカードリーダライタなどのカードアクセス装置からの電波を通信部４３０が受けると、制御部４１０は乱数発生部４４０に乱数を発生される。そして、乱数発生部４４０の発生した乱数に対応する期間が経過すると、制御部４１０はメモリ４２０に保持された所定のデータを通信部４３０から送信させる。
【００１８】
無線カード４０のメモリ４２０に保持されるデータには、図１（ｂ）に示されるように、カード識別子４２１と、格納場所４２３と、付加情報４２４と、認証キー４２５とが含まれている。
【００１９】
カード識別子４２１は、その無線カード４０を識別するための情報である。格納場所４２３は、その無線カード４０に関連付けられるファイルのファイルシステム上の格納場所を示す情報である。なお、ここにいうファイルとは、通常の個別ファイルの他、個別ファイルを配下に有するフォルダ（ディレクトリ）を含む広い概念を意味する。また、ここにいうファイルシステムとは、特定のコンピュータにおけるファイル構造の他、ネットワークを通じてアクセス可能なファイル構造全体を意味する。従って、格納場所４２３は、ＵＲＬ（Uniform Resource Locator）として表現することが可能である。
【００２０】
付加情報４２４は、格納場所４２３によって識別されるファイルの複製に関する情報である。この複製に関する情報としては、例えば、複製可能な回数や期間などを想定することができる。
【００２１】
認証キー４２５は、格納場所４２３によって識別されるファイルを認証するための認証情報である。この認証情報はいわゆるパスワードとして機能するものであり、この認証情報が正当なものでない場合にはファイルにアクセスすることが認められない。この認証キー４２５は、ファイルへのアクセス要求とともに送信されて、送信先における認証処理に供される。
【００２２】
なお、これら無線カード４０における情報は適宜暗号が施された状態により記録される。特に、認証キー４２５や付加情報４２４などは改ざんや成りすましを防止するためにも不正なアクセスを禁止する必要がある。このような暗号化手段については周知の技術であるため、ここでは説明を省略する。
【００２３】
図２は、本発明の実施の形態におけるカードアクセス装置２４０の外観例を示す図である。図２（ａ）はカードアクセス装置２４０の正面図であり、図２（ｂ）はカードアクセス装置２４０の側面図である。
【００２４】
このカードアクセス装置２４０は、無線カードを受けるカード受け部２４１および２４２を備えている。これらカード受け部２４１および２４２はそれぞれ無線カードを１枚ずつ受け得るようになっており、この図の例では、カード受け部２４１に無線カード４１が、カード受け部２４２に無線カード４２が、それぞれ載置されている。
【００２５】
このようなカードアクセス装置２４０においてカード受け部２４１の方がカード受け部２４２よりも順位が高いものと定義しておいて、ファイルの移動操作を行うことができる。すなわち、カード受け部２４１および２４２に無線カード４１および４２がそれぞれ載置された場合、カード受け部２４２に載置された無線カード４２と関連付けられたファイルをカード受け部２４１に載置された無線カード４１と関連付けられたフォルダに移動させることができる。
【００２６】
図３は、本発明の実施の形態におけるカードアクセス装置２４０の内部構成例を示す図である。図３（ａ）の例では、カードアクセス装置２４０は、アンテナＡ２４３およびＢ２４４と、切換スイッチ２４５と、通信部２４６と、通信制御部２４９とを備えている。
【００２７】
アンテナＡ２４３はカード受け部２４１に載置されている無線カードとの間の通信に用いられるものであり、アンテナＢ２４４はカード受け部２４２に載置されている無線カードとの間の通信に用いられるものである。切換スイッチ２４５は、これらアンテナＡ２４３およびＢ２４４の何れか一方と通信部２４６とが接続するよう切り換えるものである。
【００２８】
通信部２４６は、アンテナＡ２４３またはＢ２４４を介して無線カードとの間の通信を行うものである。通信制御部２４９は、通信部２４６における通信に関して制御を行うものであり、例えば、通信が行われた無線カードについてそれらの順位を決定し、その順位に応じて所定の操作を行う。
【００２９】
図３（ｂ）の例では、カードアクセス装置２４０は、図３（ａ）の例のような切換スイッチ２４５を用いずに、通信部Ａ２４６およびＢ２４７による通信を行う。図３（ａ）および（ｂ）は、実質的には同様の処理を行うものである。
【００３０】
図３（ｃ）の例では、カードアクセス装置２４０は、アンテナ２４３と、通信部２４６と、電波強度測定部２４８と、通信制御部２４９とを備えている。図３（ａ）および（ｂ）と異なり、単一のアンテナ２４３、および、電波の強度を測定する電波強度測定部２４８が用いられる。これにより、通信制御部２４９は、電波強度測定部２４８によって測定された各電波の強度に従って、無線カードの順位を決定する。
【００３１】
図４は、本発明の実施の形態における他のカードアクセス装置２５０の外観例を示す図である。図４（ａ）はカードアクセス装置２５０の正面図であり、図４（ｂ）はカードアクセス装置２５０の側面図である。
【００３２】
このカードアクセス装置２５０は、無線カードを受けるカード受け部２５１を備えている。このカード受け部２５１は無線カードを複数枚受け得るようになっており、この図の例では、前面に無線カード４１が載置され、その背面には無線カード４２が載置されている。
【００３３】
このカードアクセス装置２５０においては、図３（ｃ）により説明した内部構成例を採用することにより無線カード４１および４２を区別することができる。すなわち、カードアクセス装置２５０からみて遠い位置に載置されている無線カード４１の方が電波強度は弱く、近い位置に載置されている無線カード４２の方が電波強度は強くなるはずである。このような電波強度の強弱を利用して、カードアクセス装置２５０は無線カード４１および４２を区別することができる。
【００３４】
図５は、本発明の実施の形態におけるさらに他のカードアクセス装置２６０の外観例を示す図である。このカードアクセス装置２６０は、無線カードを受けるカード受け部２６１および２６２を備えている。これらカード受け部２６１および２６２はそれぞれ無線カードを１枚ずつ受け得るようになっており、この図の例では、カード受け部２６１に無線カード４１が、カード受け部２６２に無線カード４２が、それぞれ載置されている。
【００３５】
カードアクセス装置２６０は、カード受け部２６１および２６２の優先順位を指定する優先順位指定ボタン２６３および２６４を備えている。例えば、優先順位指定ボタン２６３が押下されている状態では、カード受け部２６２の方がカード受け部２６１よりも順位が高くなり、ファイルの移動操作の際にはカード受け部２６１に載置された無線カード４１と関連付けられたファイルをカード受け部２６２に載置された無線カード４２と関連付けられたフォルダに移動させることができる。一方、優先順位指定ボタン２６４が押下されている状態では、カード受け部２６１の方がカード受け部２６２よりも順位が高くなり、ファイルの移動操作の際にはカード受け部２６２に載置された無線カード４２と関連付けられたファイルをカード受け部２６１に載置された無線カード４１と関連付けられたフォルダに移動させることができる。
【００３６】
図６は、本発明の実施の形態におけるカードアクセス装置の動作例を示す図である。まず、カードアクセス装置は、カウンタｉの初期値を「０」として（ステップＳ９１１）、さらにカウンタｉに「１」を加えて（ステップＳ９１２）、ｉ番目の無線カードを読み出す（ステップＳ９１３）。そして、未読の無線カードがなくなるまで（ステップＳ９１４）、カウンタｉに「１」を加えながら（ステップＳ９１２）、ｉ番目の無線カードを読み出していく（ステップＳ９１３）。すなわち、カードアクセス装置は、１番目からＮ番目（Ｎは無線カードの枚数）の無線カードを順次読み出すことになる。
【００３７】
このようにして読み出された無線カードの格納場所４２３に基づいて、関連付けられたファイルのファイル構造が解析される（ステップＳ９１５）。そして、読み出された無線カードの順位付けが可能な場合には（ステップＳ９１６）、それぞれの無線カードに関連付けられたファイルについて所定のファイル操作が行われる（ステップＳ９１７）。
【００３８】
図７は、本発明の実施の形態におけるコンピュータシステムの構成例を示す図である。このコンピュータシステムでは、ネットワーク２８１上に、コンピュータ２１０、ホームサーバ２３０、および、携帯機器２９０が接続されている。また、コンピュータ２１０および携帯機器２９０にはそれぞれカードアクセス装置２４０が接続されている。また、ネットワーク２８１には、モデム２８２がさらに接続されており、外部のネットワーク２８３とコンピュータシステム内のネットワーク２８１とが適宜接続できるようになっている。
【００３９】
コンピュータ２１０および携帯機器２９０は、ユーザが直接利用することを前提として設けられた情報処理装置である。これに対して、ホームサーバ２３０は、ネットワーク２８１を介してコンピュータ２１０および携帯機器２９０を通じて利用されることを前提として設けられた情報処理装置である。これらコンピュータ２１０、ホームサーバ２３０および携帯機器２９０は、（図示しない）ディスク装置などの記憶装置を備えることができる。情報処理装置としてのこれらコンピュータ２１０、ホームサーバ２３０および携帯機器２９０は、自身の記憶装置に直接アクセスするだけでなく、ネットワーク２８１を介することによって他の情報処理装置の記憶装置にアクセスすることもできる。
【００４０】
カードアクセス装置２４０は、無線カードへのアクセスを行うカードアクセス装置であり、すなわち無線カードに情報を送信し、もしくは、無線カードからの情報を受信するものである。このような無線カードへのアクセスは、そのカードアクセス装置２４０の接続するコンピュータ２１０や携帯機器２９０の制御の下で行われる。
【００４１】
図８は、本発明の実施の形態におけるコンピュータ２１０、ホームサーバ２３０、および、携帯機器２９０の構成例を示す図である。ここでは、ホームサーバ２３０におけるファイルシステム５２０にファイルが格納され、ホームサーバ２３０および携帯機器２９０からファイルシステム５２０上のファイルにアクセスすることを想定する。
【００４２】
まず、ファイルへのアクセスに先立って、例えばコンピュータ２１０が無線カード４０に認証キー４２５を記録するものとする。そのために、コンピュータ２１０における認証キー要求部２１１は、ホームサーバ２３０に対して所望のファイルに対する認証キーを要求する。ホームサーバ２３０における認証キー要求受付部２３１は、その認証キー要求を受け付ける。その結果、ホームサーバ２３０における認証キー発行部２３２は要求された認証キーを発行する。
【００４３】
コンピュータ２１０における認証キー更新部２１２は、ホームサーバ２３０における認証キー発行部２３２によって発行された認証キーを受け取って、カードインターフェース２１３に載置等された無線カード４０の認証キー４２５を更新する。これにより、所望のファイルに対する認証キーを保持する無線カード４０が生成される。なお、無線カード４０において格納場所４２３などは予め記録されているものとする。
【００４４】
このようにして生成された複数の無線カード４０が携帯機器２９０のカードインターフェース２９４に載置等されると、カードインターフェース２９４は載置等の状態から無線カード４０間の同士の順位を決定する。ファイル操作要求部２９７はそのように決定された順位に応じて、ホームサーバ２３０に対して認証キーを提示した上でファイル操作を要求する。ホームサーバ２３０における認証部２３７は、提示された認証キーの認証を行う。
【００４５】
ホームサーバ２３０における認証部２３７が認証に成功すると、ホームサーバ２３０のファイル操作部２３９はファイルシステム５２０におけるファイルの操作を行って、その結果を携帯機器２９０に返送する。携帯機器２９０におけるファイル操作結果受付部２９９がホームサーバ２３０からファイル操作の結果を受けると、一連のファイル操作に関する処理が終了する。
【００４６】
図９は、本発明の実施の形態における無線カード４０によるファイル操作の具体例を示す図である。図９（ａ）に示すように、カードアクセス装置２４０における上部に無線カードＡ４３が載置され、下部に無線カードＸ４４が載置された場合、上位に載置された無線カードＡ４３の方が無線カードＸ４４よりも順位が高いものと定義することを想定する。
【００４７】
図９（ｂ）の左に示すように、ファイル操作前には、無線カードＡ４３に対応するファイルシステム５２０上のカードＡフォルダ５４３にはファイルａおよびｂが保持され、無線カードＸ４４に対応するファイルシステム５２０上のカードＸフォルダ５４４にはファイルｘが保持されているものとする。そして、図９（ａ）に示すような配置で無線カード４３および４４が載置されることにより、図９（ｂ）の右に示すようなファイル操作が行われる。すなわち、カードＸフォルダ５４４に保持されていたファイルｘがカードＡフォルダ５４３に保持されるようになる。
【００４８】
図１０は、本発明の実施の形態におけるファイル処理による削除フォルダの取扱い例を示す図である。図１０（ａ）に示すように、カードＸフォルダ５４４に保持されていたファイルｘがカードＡフォルダ５４３に移動する場合の処理を想定する。このとき、移動処理後のカードＸフォルダ５４４内のファイルｘを、ファイルシステム５２０上のファイル削除により削除することが考えられる。この場合、カードＸフォルダ５４４にはファイルｘが残らないため、カードＸフォルダ５４４に関連付けられるカードＸ４４はそのままの状態で構わない。すなわち、カードＸ４４の格納場所（４２３）にはカードＸフォルダ５４４を指し示す情報が保持されたままの状態で、変更の必要はない。
【００４９】
これに対し、カードＸ４４の格納場所を変更する方法もある。図１０（ｂ）に示すように、移動処理後にカードＸ４４の格納場所が何も指し示さない状態にすることにより、カードＸ４４とカードＸフォルダ５４４内のファイルｘとの関連付けを解消することができる。この場合、カードＸフォルダ５４４におけるファイルｘの存否は問題とはならず、カードＸ４４とカードＸフォルダ５４４内のファイルｘとの関連付けは失われる。
【００５０】
なお、ここでは、一例としてファイルの移動処理を例に挙げて説明したが、これ以外にもファイルの複写処理を行うようにしてもよい。図９（ｂ）の移動処理ではカードＸフォルダ５４４からファイルｘが結果的に削除されているが、複写処理の場合にはファイルｘがカードＡフォルダ５４３に保持されるようになった後でもカードＸフォルダ５４４にはファイルｘがそのまま保持されることになる。
【００５１】
このように、本発明の実施の形態によれば、カードアクセス装置において、例えば複数のカード受け部２４１および２４２にそれぞれ無線カードが載置された場所や、カード受け部２５１に複数枚の無線カードが重ねて載置された順序などに応じて、無線カードの順位を決定することができる。そして、この決定された順位によって無線カードと関連付けられたファイルの操作等を行うことができる。
【００５２】
なお、本発明の実施の形態では、カードを利用したファイル操作の例を挙げて説明したが、この場合でもこれらファイルは従来と同様にコンピュータ等を介して操作できるようにしてもよい。
【００５３】
また、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【００５４】
すなわち、請求項１において、格納場所保持手段は例えば格納場所４２３に対応する。また、通信手段は例えば通信部４３０に対応する。また、請求項２において、認証情報保持手段は例えば認証キー４２５に対応する。また、請求項３において、付加情報保持手段は例えば付加情報４２４に対応する。
【００５５】
また、請求項４において、通信手段は例えば通信部２４６等に対応する。また、順位決定手段は例えばカードインターフェース２９４もしくは通信制御部２４９に対応する。また、ファイル操作制御手段は例えばファイル操作要求部２９７に対応する。
【００５６】
また、請求項６において、優先順位指定手段は例えば優先順位指定ボタン２６３および２６４に対応する。
【００５７】
また、請求項８において、電波強度測定手段は例えば電波強度測定部２４８に対応する。
【００５８】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【００５９】
【図１】本発明の実施の形態における無線カード４０の一構成例を示す図である。
【図２】本発明の実施の形態におけるカードアクセス装置２４０の外観例を示す図である。
【図３】本発明の実施の形態におけるカードアクセス装置２４０の内部構成例を示す図である。
【図４】本発明の実施の形態における他のカードアクセス装置２５０の外観例を示す図である。
【図５】本発明の実施の形態におけるさらに他のカードアクセス装置２６０の外観例を示す図である。
【図６】本発明の実施の形態におけるカードアクセス装置の動作例を示す図である。
【図７】本発明の実施の形態におけるコンピュータシステムの構成例を示す図である。
【図８】本発明の実施の形態におけるコンピュータ２１０、ホームサーバ２３０、および、携帯機器２９０の構成例を示す図である。
【図９】本発明の実施の形態における無線カード４０によるファイル操作の具体例を示す図である。
【図１０】本発明の実施の形態におけるファイル処理による削除フォルダの取扱い例を示す図である。
【符号の説明】
【００６０】
４０〜４４  無線カード
２１０  コンピュータ
２１１  認証キー要求部
２１２  認証キー更新部
２１３、２９４  カードインターフェース
２３０  ホームサーバ
２３１  認証キー要求受付部
２３２  認証キー発行部
２３７  認証部
２３９  ファイル操作部
２４０、２５０、２６０  カードアクセス装置
２４１、２４２、２５１、２６１、２６２  カード受け部
２４３  アンテナ
２４５  切換スイッチ
２４６  通信部
２４８  電波強度測定部
２４９  通信制御部
２６３、２６４  優先順位指定ボタン
２８１、２８３  ネットワーク
２８２  モデム
２９０  携帯機器
２９７  ファイル操作要求部
２９９  ファイル操作結果受付部
４１０  制御部
４２０  メモリ
４３０  通信部
４４０  乱数発生部
５２０  ファイルシステム
【図１】
2006285368.tif 000003
【図２】
2006285368.tif 000004
【図３】
2006285368.tif 000005
【図４】
2006285368.tif 000006
【図５】
2006285368.tif 000007
【図６】
2006285368.tif 000008
【図７】
2006285368.tif 000009
【図８】
2006285368.tif 000010
【図９】
2006285368.tif 000011
【図１０】
2006285368.tif 000012